(57)【要約】      （修正有）【課題】衣料品の生地に使用されている原糸に関する情報を購入者に明確に開示する情報表示用タグを提供する。【解決手段】情報表示用タグ１０のタグ本体１３の表面１３ａには、衣料品の生地に使用されている原糸と同種の原糸１２をカラー写真により表示してなる画像情報表示部１６と、画像情報表示部１６で表示されている原糸１２に関する情報を文字で表示してなる文字情報表示部１７とが形成されている。画像情報表示部１６には、複数種類の原糸１２が、互いに略平行となるように近接させて並べた状態で表示されている。文字情報表示部１７には、画像情報表示部１６で表示されている各原糸１２の少なくとも素材名が文字で表示されている。【選択図】図１
0003185763.tif 000002
【実用新案登録請求の範囲】
【請求項１】
衣料品に取付けられて、その衣料品に関する情報を表示する情報表示用タグであり、
前記衣料品の生地に使用されている原糸と同種の原糸をカラー写真により表示してなる画像情報表示部が形成されていることを特徴とする情報表示用タグ。
【請求項２】
前記画像情報表示部で表示されている前記原糸に関する情報を文字で表示してなる文字情報表示部がさらに形成されている請求項１に記載の情報表示用タグ。
【請求項３】
前記文字情報表示部には、前記画像情報表示部で表示されている前記原糸の少なくとも素材名が文字で表示されている請求項２に記載の情報表示用タグ。
【請求項４】
前記画像情報表示部には、前記衣料品の生地に使用されている複数種類の原糸と同種の原糸が、互いに略平行となるように近接させて並べた状態で表示されており、
前記文字情報表示部は、前記画像情報表示部に対し、その画像情報表示部で表示されている前記原糸の延びる方向についての片側に形成され、
前記文字情報表示部における文字情報は、前記画像情報表示部における対応する原糸の側方に表示されている請求項２又は３に記載の情報表示用タグ。
【請求項５】
前記画像情報表示部を挟んで前記文字情報表示部とは反対側の領域には、前記衣料品に関し付随する情報を表示するための付随情報表示部が形成されている請求項４に記載の情報表示用タグ。
【請求項６】
前記衣料品に関する情報が表示されるタグ本体として略長方形のシート状をなすものが用いられ、
前記画像情報表示部は、前記タグ本体の長辺に沿う方向についての中央部を含む領域に形成されている請求項１〜５のいずれか１つに記載の情報表示用タグ。
【考案の詳細な説明】
【技術分野】
【０００１】
本考案は、衣料品に取付けられて、その衣料品に関する情報を表示する情報表示用タグに関するものである。
【背景技術】
【０００２】
衣料品には、一般に、その衣料品に関する情報、例えば、品番、品名、サイズ、材質、価格、製造国、製造会社名等を文字で表示した情報表示用タグが取付けられる（例えば、特許文献１参照）。衣料品の購入者は、この情報表示用タグに表示されている情報をもとに商品（衣料品）を購入するかどうかを判断する場合がある。
【先行技術文献】
【特許文献】
【０００３】
【特許文献１】特開２００２−２７８４５３号公報
【考案の概要】
【考案が解決しようとする課題】
【０００４】
ところで、近年では、高価な衣料品ほど生地の構造が複雑となり、その生地にどのような種類の原糸が用いられているかが不明瞭となりがちである。また、原糸に不純物が混入していても判りにくい傾向にある。
【０００５】
この点、上記特許文献１を含め、従来の情報表示用タグに表示されている情報には、衣料品の生地に使用されている原糸に関するものが少ない。多くの場合、材質として、原糸の素材名及びその原糸の占める比率が表示されているにすぎない。しかも、その情報は文字によって表示されている。そのため、情報表示用タグに表示されている内容だけでは、購入者は、原糸に関する多くの情報を正確に知ることが難しく、衣料品の購入に際して不安感を抱く懸念がある。
【０００６】
本考案は、このような実情に鑑みてなされたものであって、その目的は、衣料品の生地に使用されている原糸に関する情報を購入者に明確に開示することのできる情報表示用タグを提供することにある。
【課題を解決するための手段】
【０００７】
上記課題を解決する情報表示用タグは、衣料品に取付けられて、その衣料品に関する情報を表示する情報表示用タグであり、前記衣料品の生地に使用されている原糸と同種の原糸をカラー写真により表示してなる画像情報表示部が形成されている。
【０００８】
上記の構成によれば、衣料品に取付けられている情報表示用タグの画像情報表示部は、これを見た購入者に対し、衣料品の生地に使用されている原糸の外観に関する情報、例えば原糸の風合い、色、太さ、原糸への不純物の混入の有無や程度等を画像をもって明確に開示する。そのため、購入者は、画像情報表示部を見ることで、原糸の外観に関する多くの情報を正確に知ることが可能となる。
【０００９】
上記情報表示用タグにおいて、前記画像情報表示部で表示されている前記原糸に関する情報を文字で表示してなる文字情報表示部がさらに形成されていることが好ましい。
上記の構成によれば、情報表示用タグの文字情報表示部は、これを見た購入者に対し、画像情報表示部に表示されている原糸に関する情報を、文字をもって開示する。そのため、購入者は、画像情報表示部に加え文字情報表示部を見ることで、画像情報表示部のみを見る場合に比べ、原糸に関するより多くの情報を正確に知ることが可能となる。
【００１０】
上記情報表示用タグにおいて、前記文字情報表示部には、前記画像情報表示部で表示されている前記原糸の少なくとも素材名が文字で表示されていることが好ましい。
上記の構成によれば、情報表示用タグの文字情報表示部は、画像情報表示部及び文字情報表示部を見た購入者に対し、画像情報表示部に表示されている原糸の少なくとも素材名を、文字をもって開示する。
【００１１】
上記情報表示用タグにおいて、前記画像情報表示部には、前記衣料品の生地に使用されている複数種類の原糸と同種の原糸が、互いに略平行となるように近接させて並べた状態で表示されており、前記文字情報表示部は、前記画像情報表示部に対し、その画像情報表示部で表示されている前記原糸の延びる方向についての片側に形成され、前記文字情報表示部における文字情報は、前記画像情報表示部における対応する原糸の側方に表示されていることが好ましい。
【００１２】
上記の構成によれば、画像情報表示部では、複数種類の原糸が、互いに略平行となるように近接させて並べた状態で表示されている。このことから、画像情報表示部が、原糸の並べられた方向についての寸法の小さなコンパクトな形状に形成される。
【００１３】
また、文字情報表示部が画像情報表示部に対し、その画像情報表示部で表示されている原糸の延びる方向についての片側に表示され、しかも、文字情報表示部における文字情報が、画像情報表示部における対応する原糸の側方に表示されている。このことから、文字情報表示部が、原糸の並べられた方向についての寸法の小さなコンパクトな形状に形成される。
【００１４】
さらに、上記のように文字情報表示部における文字情報が、画像情報表示部における対応する原糸の側方に表示されていることから、画像情報表示部に表示されている原糸に関する画像情報と、文字情報表示部に表示されている原糸に関する文字情報とが明確に対応付けられる。従って、画像情報表示部及び文字情報表示部は、これらを見た購入者に対し、互いに明確に関係付けられた画像と文字とによって、原糸に関する情報を開示する。
【００１５】
上記情報表示用タグにおいて、前記画像情報表示部を挟んで前記文字情報表示部とは反対側の領域には、前記衣料品に関し付随する情報を表示するための付随情報表示部が形成されていることが好ましい。
【００１６】
上記の構成によれば、情報表示用タグにおいて画像情報表示部を挟んで文字情報表示部とは反対側の領域に形成された付随情報表示部は、これを見た購入者に対し、衣料品に関し付随する情報を開示する。この場合、情報は文字をもって開示されてもよいし、図柄をもって開示されてもよい。また、上記付随する情報には、原糸に関するものが含められてもよい。
【００１７】
上記情報表示用タグにおいて、前記衣料品に関する情報が表示されるタグ本体として略長方形のシート状をなすものが用いられ、前記画像情報表示部は、前記タグ本体の長辺に沿う方向についての中央部を含む領域に形成されていることが好ましい。
【００１８】
上記の構成によれば、長方形のシート状をなすタグ本体のうち、長辺に沿う方向についての中央部はタグ本体のうち最も目に入りやすい箇所である。そのため、タグ本体の長辺に沿う方向についての中央部を含む領域に形成されている画像情報表示部は、衣料品の購入者の目に入りやすく、原糸の外観に関する情報を画像をもって購入者に開示する効果が効率よく得られる。
【考案の効果】
【００１９】
上記情報表示用タグによれば、衣料品の生地に使用されている原糸と同種の原糸をカラー写真により表示してなる画像情報表示部を形成したため、衣料品の生地に使用されている原糸に関する情報を購入者に明確に開示することができる。
【図面の簡単な説明】
【００２０】
【図１】情報表示用タグの一実施形態を示す正面図。
【図２】一実施形態の情報表示用タグが衣料品に取付けられた使用状態を示す正面図。
【考案を実施するための形態】
【００２１】
以下、衣料品に取付けられて、その衣料品に関する情報を表示する情報表示用タグの一実施形態について、図面を参照して説明する。
図２に示すように、情報表示用タグ１０の取付け対象となる衣料品１１は、複数種類（本実施形態では１２種類）の原糸１２（図１参照）を用いて織る、又は編むことによって形成されている。この原糸１２には、単糸、撚り糸、意匠糸（飾り糸）等が含まれる。
【００２２】
図１に示すように、情報表示用タグ１０の主要部は、略長方形のシート状をなすタグ本体１３によって構成されている。本実施形態では、タグ本体１３は紙片によって形成されている。タグ本体１３の四隅はそれぞれ円弧状に形成されている。
【００２３】
タグ本体１３の表裏両面のうちの少なくとも表面１３ａには、衣料品１１に関する各種情報が表示されている。
上記表面１３ａには、衣料品１１の生地に使用されている原糸と同種の原糸１２をカラー写真により表示してなる画像情報表示部１６が形成されている。なお、図１中の符号１２は、原糸の画像を示している。また、本実施形態では、画像情報表示部１６には、上記生地に使用されている全ての種類の原糸と同種の原糸１２が表示されている。画像情報表示部１６は、タグ本体１３の長辺１４に沿う方向よりも短辺１５に沿う方向に細長い長方形状をなしている。画像情報表示部１６は、タグ本体１３の長辺１４に沿う方向については、その中央部を含む領域に形成されている。なお、図１のＣＬは、長辺１４の中点に直交する線（以下「中心線」という）を示している。本実施形態では、画像情報表示部１６は、上記中心線ＣＬに跨り、かつ同中心線ＣＬからタグ本体１３の一方（図１では左方）の短辺１５側へずれた箇所に形成されている。
【００２４】
画像情報表示部１６では、全ての種類の原糸１２が、タグ本体１３の長辺１４に対し平行又は略平行となるように引き揃えられて、短辺１５に沿う方向に近接させて並べた状態で表示されている。
【００２５】
上記表面１３ａには、画像情報表示部１６で表示されている各原糸１２に関する情報を文字で表示してなる文字情報表示部１７が形成されている。文字情報表示部１７は、画像情報表示部１６で表示されている、対応する各原糸１２の素材名を表示する素材名表示部１７ａと、各原糸１２の繊度（太さ）を番手（♯）、デニール等で表示する繊度表示部１７ｂと、各原糸１２の色を表示する色表示部１７ｃとからなる。なお、文字情報表示部１７を構成する各種表示部１７ａ〜１７ｃは、上述したものに限られず、適宜に変更可能である。
【００２６】
文字情報表示部１７は、画像情報表示部１６と同様、タグ本体１３の長辺１４に沿う方向よりも短辺１５に沿う方向に細長い長方形状をなしている。文字情報表示部１７は、画像情報表示部１６に対し、その画像情報表示部１６で表示されている原糸１２の延びる方向についての片側（図１では左側）に形成されている。表現を変えると、文字情報表示部１７は、タグ本体１３の長辺１４に沿う方向について画像情報表示部１６の側方に形成されている。文字情報表示部１７における文字情報は、画像情報表示部１６における対応する原糸１２の側方に表示されている。
【００２７】
上記表面１３ａにおいて、画像情報表示部１６を挟んで文字情報表示部１７とは反対側（図１では右側）の領域には、原糸１２を含めた衣料品１１に関し付随する情報を表示するための付随情報表示部１８が形成されている。付随情報表示部１８には、画像情報表示部１６及び文字情報表示部１７で表示されていない情報が表示されることが好ましいが、重複する情報が表示されてもよい。本実施形態では、付随情報表示部１８は、衣料品１１の製品番号（品番）を表示する品番表示部１８ａ、衣料品１１に関する情報を表示する製品情報表示部１８ｂ、原糸１２の種類の数や織物の製織態様を表示する原糸情報表示部１８ｃ、及び衣料品１１の製造国名、製造会社名、取り扱い業者名等を表示する製造元表示部１８ｄによって構成されている。なお、付随情報表示部１８を構成する各種表示部１８ａ〜１８ｄは、上述したものに限られず、適宜に変更可能である。また、各種表示部１８ａ〜１８ｄのレイアウトは適宜に変更されてもよい。さらに、各種表示部１８ａ〜１８ｄでは、文字のほかバーコード等の図柄が表示されてもよい。
【００２８】
上記画像情報表示部１６、文字情報表示部１７及び付随情報表示部１８は、本実施形態では、タグ本体１３の表面１３ａに対し、直接印刷を行なうことによって形成されている。そのほかにも、これらの情報表示部１６〜１８を別途に印刷したシールがタグ本体１３の表面１３ａに貼着されてもよい。あるいは、そのシールが大きめに構成されて、このシールによってタグ本体１３の表面１３ａの全体が被覆されてもよい。さらに、上記情報表示部１６〜１８は、印刷以外の手段によって形成されてもよい。
【００２９】
タグ本体１３の四隅の一つには、円形をなす小径の貫通孔１９があけられている。この貫通孔１９は、止め具、タグピン、紐（ストラップ）、ワイヤ、鎖、キーホルダ等を通すためのものである。図１及び図２は、樹脂製の止め具２１が貫通孔１９に通された状態を示している。止め具２１は、可撓性を有する線状部２２と、線状部２２の一方の端部に形成された筒状部（図示略）と、線状部２２の他方の端部に形成された係止部（図示略）とを備えた周知の構造を有するものである。止め具２１では、貫通孔１９に通された線状部２２をリング状に撓ませて、係止部を筒状部に挿入させることにより、係止部が筒状部に対し抜け出し不能に連結（ロック）され、線状部２２がリング状に保持される。
【００３０】
上記のようにして、本実施形態の情報表示用タグ１０が構成されている。次に、この情報表示用タグ１０の作用について説明する。
情報表示用タグ１０の使用に際しては、図２に示すように、表面１３ａが現われるように、すなわち、裏面が衣料品１１に対向するようにタグ本体１３の向きが整えられたうえで、止め具２１の線状部２２がタグ本体１３の貫通孔１９、及び衣料品１１の所望の箇所、例えばボタン孔に通される。線状部２２がリング状に撓ませられて、係止部が筒状部に挿入されることで、係止部が筒状部に対し抜け出し不能に連結（ロック）され、線状部２２がリング状に保持される。情報表示用タグ１０が止め具２１を通じて衣料品１１に取付けられる。
【００３１】
上記のように衣料品１１に取付けられた情報表示用タグ１０では、画像情報表示部１６が、これを見た購入者に対し、衣料品１１の生地に使用されている原糸１２の外観に関する情報、例えば原糸１２の風合い、色、太さ、原糸１２への不純物の混入の有無や混入の程度等を画像をもって明確に開示する。
【００３２】
また、文字情報表示部１７は、これを見た購入者に対し、上記画像情報表示部１６に表示されている各原糸１２に関する情報、本実施形態では、各原糸１２の素材名、繊度及び色を、文字をもって開示する。
【００３３】
ここで、画像情報表示部１６では、生地に使用されている全ての種類と同種の原糸１２が互いに略平行となるように近接させて並べた状態で表示されている。このことから、画像情報表示部１６は、原糸１２の並べられた方向（タグ本体１３の短辺１５に沿う方向）についての寸法の小さなコンパクトな形状となる。
【００３４】
また、文字情報表示部１７が画像情報表示部１６に対し、その画像情報表示部１６で表示されている原糸１２の延びる方向についての片側に表示され、しかも、文字情報表示部１７の文字情報が、画像情報表示部１６における対応する原糸１２の側方に表示されている。このことから、文字情報表示部１７は、上記画像情報表示部１６と同様に、原糸１２の並べられた方向（短辺１５に沿う方向）についての寸法の小さなコンパクトな形状となる。
【００３５】
さらに、上記のように文字情報表示部１７の文字情報が、画像情報表示部１６における対応する原糸１２の側方に表示されていることから、画像情報表示部１６に表示されている原糸１２に関する画像情報と、文字情報表示部１７に表示されている原糸１２に関する文字情報とが明確に対応付けられる。従って、画像情報表示部１６及び文字情報表示部１７は、これらを見た購入者に対し、互いに明確に関係付けられた画像と文字とによって、原糸１２に関する情報を開示する。
【００３６】
また、略長方形のシート状をなすタグ本体１３のうち、長辺１４に沿う方向（長手方向）についての中央部はタグ本体１３のうち最も目に入りやすい箇所である。そのため、タグ本体１３の長辺１４に沿う方向についての中央部（中心線ＣＬ）を含む領域に形成されている画像情報表示部１６は、衣料品１１の購入者の目に入りやすく、衣料品１１の生地に使用されている原糸１２の外観に関する情報が画像をもって購入者に効率よく開示される。
【００３７】
さらに、情報表示用タグ１０において、上記画像情報表示部１６を挟んで文字情報表示部１７とは反対側の領域に形成された付随情報表示部１８は、これを見た購入者に対し、衣料品１１に関し付随する情報を開示する。
【００３８】
そして、衣料品１１の購入者は、上記画像情報表示部１６及び文字情報表示部１７を見ることで、原糸１２に関する多くの情報を正確に知る。また、購入者は、付随情報表示部１８を見ることで、衣料品１１に関する情報を正確に知る。
【００３９】
以上詳述した本実施形態によれば、次の効果が得られる。
（１）情報表示用タグ１０では、衣料品１１の生地に使用されている原糸と同種の原糸１２をカラー写真により表示してなる画像情報表示部１６をタグ本体１３の表面１３ａに形成している。
【００４０】
そのため、衣料品１１の生地に使用されている原糸１２の外観に関する情報を画像情報表示部１６の画像をもって購入者に明確に開示することができる。その結果、購入者は、画像情報表示部１６を通じて開示された原糸１２に関する情報をもとに衣料品１１を購入するかしないかについて安心して判断することができる。
【００４１】
（２）画像情報表示部１６で表示されている各原糸１２に関する情報を文字で表示してなる文字情報表示部１７をさらにタグ本体１３の表面１３ａに形成している。
そのため、画像情報表示部１６で表示されている各原糸１２に関する情報を、文字をもって開示することができる。購入者は、画像情報表示部１６に加え文字情報表示部１７を見ることで、画像情報表示部１６のみを見た場合に比べ、原糸１２に関するより多くの情報を正確に知ることができる。
【００４２】
（３）文字情報表示部１７では、画像情報表示部１６で表示されている各原糸１２の少なくとも素材名を文字で表示している。
そのため、画像情報表示部１６及び文字情報表示部１７を見た購入者に対し、画像情報表示部１６に表示されている各原糸１２の素材名を、文字をもって開示することができる。
【００４３】
（４）文字情報表示部１７では、素材名に加え、画像情報表示部１６で表示されている各原糸１２の繊度及び色を文字で表示している。
そのため、画像情報表示部１６及び文字情報表示部１７を見た購入者に対し、画像情報表示部１６に表示されている各原糸１２の繊度及び色の両方を、文字をもって開示することができる。
【００４４】
（５）画像情報表示部１６には、衣料品１１の生地に使用されている複数種類の全ての原糸と同種の原糸１２を、互いに略平行となるように近接させて並べた状態で表示している。そのため、画像情報表示部１６を、原糸の並べられた方向（タグ本体１３の短辺１５に沿う方向）についての寸法の小さなコンパクトな形状に形成することができる。
【００４５】
また、文字情報表示部１７を、画像情報表示部１６に対し、その画像情報表示部１６で表示されている原糸１２の延びる方向についての片側に表示し、しかも、文字情報表示部１７における文字情報を、画像情報表示部１６における対応する原糸１２の側方に表示している。そのため、文字情報表示部１７を、原糸の並べられた方向（短辺１５に沿う方向）についての寸法の小さなコンパクトな形状に形成することができる。
【００４６】
その結果、本実施形態では、衣料品１１の生地に使用されている原糸の種類が多く、それに伴い各原糸に関する文字情報の種類が多いが、それらと同数の原糸１２の画像を画像情報表示部１６で表示し、文字情報を文字情報表示部１７で表示することができる。
【００４７】
さらに、文字情報表示部１７における文字情報を、画像情報表示部１６における対応する原糸１２の側方に表示している。このことから、画像情報表示部１６及び文字情報表示部１７を見た衣料品１１の購入者に対し、画像情報表示部１６に表示されている原糸１２に関する画像情報と、文字情報表示部１７に表示されている原糸１２に関する文字情報とを明確に対応付けたうえで、原糸１２に関する情報を開示することができる。
【００４８】
（６）タグ本体１３の表面１３ａにおいて、画像情報表示部１６を挟んで文字情報表示部１７とは反対側の領域に、衣料品１１に関し付随する情報を表示するための付随情報表示部１８を形成している。
【００４９】
そのため、付随情報表示部１８を見た購入者に対し、衣料品１１に関し付随する情報を、文字、図柄等をもって開示することができる。
（７）画像情報表示部１６を、タグ本体１３の長辺１４に沿う方向についての中央部（中心線ＣＬ）を含む領域に形成している。
【００５０】
そのため、画像情報表示部１６を衣料品１１の購入者の目に入りやすくすることができる。原糸１２の外観に関する情報を画像をもって購入者に開示するといった効果が、効率よく得られるようになる。
【００５１】
なお、上記実施形態は、これを以下のように変更した変形例として実施することもできる。
＜タグ本体１３について＞
・タグ本体１３としては、紙によって形成されたものに限らず、他の材料、例えば樹脂、金属等によって薄板状に形成されたものが用いられてもよい。
【００５２】
・タグ本体１３は、正面視で略長方形状以外の形状、例えば正方形状、楕円形状、円形状、三角形状、さらには四角形以上の多角形状に形成されてもよい。
・タグ本体１３の少なくとも表面１３ａに、透明のフィルムを貼る、いわゆるラミネート加工が施されてもよい。この場合には、画像情報表示部１６を含む各種情報表示部を透明なフィルムによって保護することができる。
【００５３】
・貫通孔１９は、タグ本体１３において上記実施形態とは異なる形状（非円形）に形成されてもよい。
・タグ本体１３は、シート状とは異なる形状を有するものであってもよい。
【００５４】
＜表示部について＞
・画像情報表示部１６及び文字情報表示部１７はタグ本体１３の表面１３ａに加え、裏面に形成されてもよい。
【００５５】
また、タグ本体１３の裏面にも衣料品１１に関する情報を表示する場合には、付随情報表示部１８が、単独でタグ本体１３の裏面に表示されてもよいし、画像情報表示部１６及び文字情報表示部１７とともにタグ本体１３の裏面に表示されてもよい。
【００５６】
・文字情報表示部１７には、画像情報表示部１６で表示されている各原糸１２の素材名が文字で表示されることを条件に、他の事項が表示されてもよい。他の事項としては、例えば、繊度及び色の一方のみであってもよいし、繊度及び色以外の事項であってもよい。
【００５７】
・画像情報表示部１６は、衣料品１１の購入者の目に入りやすいことを重要視する場合には、タグ本体１３のうち長辺１４に沿う方向についての中央部（中心線ＣＬ）を含む領域であるといった条件を満たす箇所に形成されることが好ましい。上記実施形態では、この条件を満たす箇所として、画像情報表示部１６が、上記中心線ＣＬに跨り、かつ同中心線ＣＬからタグ本体１３の一方の短辺１５側へずれた箇所に形成された。しかし、これは一例に過ぎず、画像情報表示部１６は上記条件を満たす他の箇所に形成されてもよい。
【００５８】
ただし、上述した購入者の目に入りやすいことよりも他の事項が優先される場合には、画像情報表示部１６は上記中央部（中心線ＣＬ）を含まない領域、すなわち、一対の短辺１５のうちいずれか一方に近接した領域に形成されてもよい。
【００５９】
・画像情報表示部１６には、衣料品１１の生地に使用されている複数種類の原糸のうち、主要なものと同種の原糸１２のみが表示されてもよい。
・タグ本体１３の表面１３ａに形成される必須の表示部は画像情報表示部１６であり、それ以外の表示部（文字情報表示部１７，付随情報表示部１８）については適宜省略可能である。
【００６０】
・画像情報表示部１６、文字情報表示部１７及び付随情報表示部１８は、上記実施形態とは異なる位置関係となる箇所に形成されてもよい。
・画像情報表示部１６は上記実施形態よりも少ない種類の原糸１２を表示するものであってもよい。
【００６１】
この場合には、原糸の並べられた方向（タグ本体１３の短辺１５に沿う方向）についての画像情報表示部１６の寸法が小さくなり、タグ本体１３には、同方向について画像情報表示部１６の少なくとも片側に余剰の領域が生ずる。そのため、この領域を、付随情報表示部１８を形成する領域として使用すれば、衣料品１１に関するより多くの情報を付随情報表示部１８で表示することが可能となる。
【００６２】
また、画像情報表示部１６で表示される原糸１２の種類の減少に伴い、文字情報表示部１７で表示される文字情報の種類が少なくなる。
この場合には、原糸の並べられた方向（短辺１５に沿う方向）についての文字情報表示部１７の寸法が小さくなり、タグ本体１３には、同方向について文字情報表示部１７の少なくとも片側に余剰の領域が生ずる。そのため、この領域を、付随情報表示部１８を形成する領域として使用すれば、衣料品１１に関するより多くの情報を付随情報表示部１８で表示することが可能となる。
【００６３】
＜その他の事項について＞
・上記情報表示用タグ１０は、生地に使用されている原糸が１種類である衣料品に取付けられてその原糸と同種の原糸１２をカラー写真により表示するものであってもよい。
【符号の説明】
【００６４】
１０…情報表示用タグ、１１…衣料品、１２…原糸、１３…タグ本体、１４…長辺、１６…画像情報表示部、１７…文字情報表示部、１８…付随情報表示部。
【図１】
0003185763.tif 000003
【図２】
0003185763.tif 000004
【手続補正書】
【提出日】平成25年6月21日(2013.6.21)
【手続補正１】
【補正対象書類名】実用新案登録請求の範囲
【補正対象項目名】全文
【補正方法】変更
【補正の内容】
【実用新案登録請求の範囲】
【請求項１】
衣料品に取付けられて、その衣料品に関する情報を表示する情報表示用タグであり、
前記衣料品の生地に使用されている原糸と同種の原糸をカラー写真により表示してなる画像情報表示部が形成され、
前記画像情報表示部で表示されている前記原糸に関する情報を文字で表示してなる文字情報表示部が、前記画像情報表示部に対し、その画像情報表示部で表示されている前記原糸の延びる方向についての片側に形成されていることを特徴とする情報表示用タグ。
【請求項２】
前記文字情報表示部には、前記画像情報表示部で表示されている前記原糸の少なくとも素材名が文字で表示されている請求項１に記載の情報表示用タグ。
【請求項３】
前記画像情報表示部には、前記衣料品の生地に使用されている複数種類の原糸と同種の原糸が、互いに略平行となるように近接させて並べた状態で表示されており、
前記文字情報表示部における文字情報は、前記画像情報表示部における対応する原糸の側方に表示されている請求項１又は２に記載の情報表示用タグ。
【請求項４】
前記画像情報表示部を挟んで前記文字情報表示部とは反対側の領域には、前記衣料品に関し付随する情報を表示するための付随情報表示部が形成されている請求項１〜３のいずれか１つに記載の情報表示用タグ。
【請求項５】
前記衣料品に関する情報が表示されるタグ本体として略長方形のシート状をなすものが用いられ、
前記画像情報表示部は、前記タグ本体の長辺に沿う方向についての中央部を含む領域に形成されている請求項１〜４のいずれか１つに記載の情報表示用タグ。
【手続補正２】
【補正対象書類名】明細書
【補正対象項目名】０００７
【補正方法】変更
【補正の内容】
【０００７】
上記課題を解決する情報表示用タグは、衣料品に取付けられて、その衣料品に関する情報を表示する情報表示用タグであり、前記衣料品の生地に使用されている原糸と同種の原糸をカラー写真により表示してなる画像情報表示部が形成され、前記画像情報表示部で表示されている前記原糸に関する情報を文字で表示してなる文字情報表示部が、前記画像情報表示部に対し、その画像情報表示部で表示されている前記原糸の延びる方向についての片側に形成されている。
【手続補正３】
【補正対象書類名】明細書
【補正対象項目名】０００８
【補正方法】変更
【補正の内容】
【０００８】
上記の構成によれば、衣料品に取付けられている情報表示用タグの画像情報表示部は、これを見た購入者に対し、衣料品の生地に使用されている原糸の外観に関する情報、例えば原糸の風合い、色、太さ、原糸への不純物の混入の有無や程度等を画像をもって明確に開示する。そのため、購入者は、画像情報表示部を見ることで、原糸の外観に関する多くの情報を正確に知ることが可能となる。
また、情報表示用タグの文字情報表示部は、これを見た購入者に対し、画像情報表示部に表示されている原糸に関する情報を、文字をもって開示する。そのため、購入者は、画像情報表示部に加え文字情報表示部を見ることで、画像情報表示部のみを見る場合に比べ、原糸に関するより多くの情報を正確に知ることが可能となる。
【手続補正４】
【補正対象書類名】明細書
【補正対象項目名】０００９
【補正方法】削除
【補正の内容】
【手続補正５】
【補正対象書類名】明細書
【補正対象項目名】００１１
【補正方法】変更
【補正の内容】
【００１１】
上記情報表示用タグにおいて、前記画像情報表示部には、前記衣料品の生地に使用されている複数種類の原糸と同種の原糸が、互いに略平行となるように近接させて並べた状態で表示されており、前記文字情報表示部における文字情報は、前記画像情報表示部における対応する原糸の側方に表示されていることが好ましい。